(57)【要約】【課題】雪の表層及び下層を切断し、掘りおこし、さらに運搬することに適したスノーシャベルを提供すること。【解決手段】シャベル匙１０の一方側の側端部１１ａに設ける目の粗い鋸歯状の第一刃１１１と、当該一方側の側端部の反底端部側から前記シャベル匙の先端部１２にかけて設ける鋸歯状の第二刃１１２とを備え、前記第二刃がシャベル柄２０に対して約４５度の傾斜角度を有する雪上での使用に適したスノーシャベル１を提供する。【選択図】図１
2014084702.tif 000002
【特許請求の範囲】
【請求項１】
シャベル匙とシャベル柄とを備え雪上での使用に適したスノーシャベルであって、
シャベル匙の一方側の側端部に設ける第一刃と、
当該一方側の側端部の反底端部側から前記シャベル匙の先端部にかけて設ける第二刃と、
を備えるスノーシャベル。
【請求項２】
前記第一刃及び前記第二刃が鋸歯状の刃であり、かつ、前記第一刃が、前記第二刃よりも目が粗い刃である請求項１に記載のスノーシャベル。
【請求項３】
前記第一刃と、前記第二刃とを、異なる角度で設けた請求項１又は請求項２に記載のスノーシャベル。
【請求項４】
前記第二刃接線（Ｙ）が、前記シャベル柄軸心延長線（Ｘ）に対して約４５度の傾斜角度（θ）である請求項１から請求項３いずれかに記載のスノーシャベル。
【請求項５】
前記第一刃接線（Ｘ´）が、前記シャベル柄軸心延長線（Ｘ）と略平行である請求項１から請求項４いずれかに記載のスノーシャベル。
【請求項６】
前記第一刃が、前記第二刃よりも長い刃である請求項１から請求項５いずれかに記載のスノーシャベル。
【請求項７】
前記第一刃が、前記シャベル匙の腹面部の側端に対して一直線に並んだ請求項１から請求項６いずれかに記載のスノーシャベル。
【請求項８】
前記第二刃が、前記シャベル柄軸心延長線（Ｘ）と前記シャベル匙の先端部との交差位置（Ｐ）にまで到達していない請求項１から請求項７いずれかに記載のスノーシャベル。
【請求項９】
請求項１から請求項８いずれかに記載のスノーシャベルの一方側の側端部に被せ、前記第一刃及び前記第二刃の全てを被覆する、前記シャベル匙に固着可能なシャベル匙側端部カバー。
【発明の詳細な説明】
【技術分野】
【０００１】
本願発明は、シャベル匙の一方側の側端部から先端部にかけて２種類の刃を備えるスノーシャベルに関するものである。
【背景技術】
【０００２】
雪洞を掘る場面、イグルー（スノーハウス）を作成する場面、或いは雪上に立てたテントなどの淵に雪塊ブロックを錘として載置する場面などで、雪を切りだし（切り取り）、掘りおこし、移動（運搬）するといった作業を行うときに、従来はスノーソーで雪の表層を縦横に切りだし、その後に、スノーソーをシャベルに持ち替えてシャベルで雪を掘りおこして移動し、雪の掘りおこし及び移動がいったん終わると、またシャベルをスノーソーに持ち替えてスノーソーで雪の表層を縦横に切りだすといった作業を繰り返していた。
【０００３】
ところで、雪を切断するための刃を備えたシャベルも提供はされている（例えば、特許文献１）。
【先行技術文献】
【特許文献】
【０００４】
【特許文献１】登録実用新案第３１７５３５１号公報
【発明の概要】
【発明が解決しようとする課題】
【０００５】
上述の特許文献１は、圧縮雪を切断可能な鋸歯状の刃をシャベルの側部に備えたシャベルではあるが、屋根上の雪下ろし場面での利用に適したシャベルであり、本願発明のスノーシャベルとは利用場所や利用用途が大きく異なり、雪上（雪山）での雪の切りだし、掘りおこし、移動といった作業に適しているとはいえない。
【０００６】
また、上述した様に、雪洞を掘るなどの場面での雪の切りだし、掘りおこし、移動といった作業は、気温が低い場所で行われる作業であり、また、不安定な足元で防寒着及び手袋を着衣したまま行われる体力の消耗が激しい作業であることから、短時間で効率的に行えることが強く求められる。
【０００７】
また、雪山では、雪の表層及び下層によって硬さが異なる場合が多く、特に雪の切りだし及び掘りおこし作業を短時間で効率的に行える道具（スノーシャベルを含む）の出現が求められている。
【０００８】
そこで、本願発明は、雪上（雪山）での雪の切りだし、掘りおこしなどの作業を行うのに適した、スノーシャベルを提供することを課題とする。
【課題を解決するための手段】
【０００９】
上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備えるスノーシャベルを提供する。
【００１０】
また、上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備え、前記第一刃及び前記第二刃が鋸歯状の刃であり、かつ、前記第一刃が、前記第二刃よりも目が粗い刃であるスノーシャベルを提供する。
【００１１】
また、上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備え、前記第一刃と、前記第二刃とを、前記シャベル柄に対して異なる角度（例えば、第二刃が４５度、第一刃が０度）で設けたスノーシャベルを提供する。
【００１２】
また、上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備え、前記第一刃が、前記第二刃よりも長い刃であるスノーシャベルを提供する。
【００１３】
また、上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備え、前記第一刃が、前記シャベル匙の腹面部の側端に対して一直線に並んだスノーシャベルを提供する。
【００１４】
また、上記の課題を解決するために、シャベル匙とシャベル柄とを備え雪上での使用に適したスノーシャベルであって、シャベル匙の一方側の側端部に設ける第一刃と、当該一方側の側端部の反底端部側から前記シャベル匙の先端部にかけて設ける第二刃と、を備え、前記第二刃が、前記シャベル柄の軸心を延長したシャベル柄軸心延長線と前記シャベル匙の先端部との交差位置にまで到達していないスノーシャベルを提供する。
【発明の効果】
【００１５】
本願発明にかかるスノーシャベルは、シャベル匙の側端部からシャベル匙の先端部にかけて２種類の刃（細かい目の第二刃と粗い目の第一刃）を備えるので、硬い表層の雪の切り出しが行えるとともに、比較的軟らかい下層の雪に対しては短時間での雪の切り出しが行える。また、両手で切りだし等の作業が行えるので片手で作業をするスノーソーに比べて、作業時間が短縮されるとともに、体力消耗を防ぐ効果もある。
【００１６】
また、本願発明にかかるスノーシャベルは、シャベル匙の側端部に第二刃よりも目が粗い鋸歯状の第一刃が設けてあるので、雪の切りだし作業時間を短縮することができる。
【００１７】
また、本願発明にかかるスノーシャベルは、第二刃が前記シャベル柄に対して一定の傾斜角度（約４５度）をつけているので、両手でシャベル柄を握った立ち姿勢で第二刃を硬い表層に押し当てる事ができるので操作性が良い。
【００１８】
また、本願発明にかかるスノーシャベルは、第一刃が前記シャベル柄に対して略平行（略０度の傾斜角度）であるので、両手でシャベル柄を握った立ち姿勢で第二刃を硬い表層に押し当てて硬い表層を切りだした状態のまま比較的軟質の下層の切りだしを継続して行えるので、作業時間を短縮することができ、また、操作性も良い。なお、雪を直線的に切りだす効果も有する。
【００１９】
また、本願発明にかかるスノーシャベルは、シャベル匙の側端部に設けてある第一刃が第二刃よりも長いので、第二刃で硬い表層を切りだした後は両手で握ったシャベル柄の摺動幅を大きくすることができ、さらに雪の切り出し作業時間を短縮することができる。
【００２０】
また、本願発明にかかるスノーシャベルは、第一刃がシャベル匙の腹面部の側端に対して一直線に並んでいるので、両手で握ったシャベル柄の摺動作動の際の作業者への負担が低減される。
【００２１】
また、本願発明にかかるスノーシャベルは、第二刃がシャベル柄軸心延長線と前記先端部との交差位置にまで到達していないので、掘りおこし作業による不便（掘り辛い、刃こぼれをおこす、雪中に埋まっている人を掘りおこすときに危険など）を解消できる。
【００２２】
また、本願発明にかかるスノーシャベルは、シャベル匙がシャベル柄から着脱可能であり、さらに、シャベル柄が伸縮可能であるので、シャベル自身の運搬を容易にする。
【図面の簡単な説明】
【００２３】
【図１】図１は、スノーシャベルの全体斜視図である。
【図２】図２は、切断当初に第二刃で雪の表層を切断している状態を示すイメージ図である。
【図３】図３は、第一刃で雪の下層を切断している状態を示すイメージ図である。
【図４】図４は、スノーシャベルを運搬する時の状態を示すイメージ図である。
【発明を実施するための形態】
【００２４】
本願発明にかかるスノーシャベルで雪の表層及び下層を切りだし、切りだした雪塊を掘りおこし、さらに掘りおこした雪塊（ブロック）を他の場所へ移動することにより雪洞を作成する。
【実施例１】
【００２５】
まずは、スノーシャベルの構成について、図１に従い説明する。
【００２６】
スノーシャベル（１）は、掘りおこした雪などを載せる側の凹んだ面である腹面部（１５）と、前記腹面部（１５）の上に固着した首部（１４）などからなるシャベル匙（１０）と、前記首部（１４）に一方の端部を挿入する中空の２段筒状体（２１）と、前記２段筒状体（２１）の他方の端部と接合する取っ手（２２）と、前記２段筒状体（２１）の軸心側から外方に向けて突出する２個の突出部（２３）とからなるシャベル柄（２０）と、で構成する。
【００２７】
前記シャベル匙（１０）は、前記腹面部（１５）の一方側の側端部（１１ａ）と、前記一方側の側端部（１１ａ）と平行に設ける他方側の側端部（１１ｂ）と、前記両側端部（１１ａ及び１１ｂ）の各々側と連設した湾曲先端部（１２）と、前記両側端部（１１ａ及び１１ｂ）の各々側と連設した底端部（１３）と、で構成する。
【００２８】
前記一方側の側端部（１１ａ）には、鋸歯状に加工、研磨した第一刃（１１１）を設けている。
【００２９】
前記一方側の側端部（１１ａ）の反底端部側から前記シャベル匙の先端部側（１２）にかけて、鋸歯状に加工、研磨した第二刃（１１２）を前記第一刃（１１１）と連続して設けている。
【００３０】
前記第一刃（１１１）の刃形態及び長さについて、前記第二刃（１１２）よりも鋸歯状の目を粗く、かつ、長くしている。前記第一刃（１１１）は、雪の切断時間を短縮するために前記第二刃（１１２）よりも粗くしているので、鋸歯状の刃形態パターンについては特定されず、様々な刃形態パターンの鋸歯状の刃を採用し得る。
【００３１】
なお、雪の切り出し動作中は、前記第一刃（１１１）の大部分が雪の下層に接することとなるため、鋸歯状の目を粗くすることにより雪の切りだし作業時間を短縮している。また、雪の下層は外気の影響を受け難いため、表層に比較すると軟質である場合が多い（上層の重みにより圧縮され硬くなる場合もあるが）ので、目が粗く、かつ、長い刃で雪を切りだすことが可能である。
【００３２】
前記第一刃（１１１）の配列について、前記シャベル匙（１０）の腹面部（１５）の側端に対して一直線に並んで設けている。
【００３３】
前記第二刃（１１２）の刃形態について、前記第一刃（１１１）よりも鋸歯状の目を細かくしている。前記第二刃（１１２）は、硬い雪の表層を切断するために前記第一刃（１１１）よりも細かくしているので、鋸歯状の刃形態パターンについては特定されず、様々な刃形態パターンの鋸歯状の刃を採用し得る。
【００３４】
なお、雪の表層は外気の影響を受けやすい。外気温の上昇に伴い一時的に溶け、その後の外気温の低下により凍結し硬化（氷化）している場合が多い。そこで、雪の表層を切断するための鋸歯状の刃は、目を細かくしている。
【００３５】
前記第二刃（１１２）配列について、前記シャベル匙（１０）の腹面部（１５）の側端に対して一直線に並んで設けている。
【００３６】
前記シャベル柄（２０）に対する前記第二刃（１１２）の傾斜角度について、立ち姿勢で前記シャベル柄（２０）を両手で握った時に足元に存在する雪の表層を切断しやすい様に、前記シャベル柄（２０）に対して一定の傾斜角度（θ）を設けている。
【００３７】
前記一定の傾斜角度（θ）について、前記シャベル柄（２０）の軸心を延長したシャベル柄軸心延長線（Ｘ）と前記第二刃（１１２）と接する延長線である第二刃接線（Ｙ）とが交差する部分の傾斜角度（θ）と同様であるが、立ち姿勢で前記シャベル柄（２０）を両手で握った時に足元に存在する雪の表層を切断しやすい角度である。作業者の身長又は腕の長さなど或いは雪の表層の状態により最適な角度は異なるが概ね３０度から６０度程度である。好ましくは約４５度である。
【００３８】
一方、前記シャベル柄（２０）に対する前記第一刃（１１１）の傾斜角度は、ほとんどなく略０度である（前記シャベル柄と略平行に設ける）。つまり、前記シャベル柄軸心延長線（Ｘ）と、前記第一刃（１１１）と接する延長線である第一刃接線（Ｘ´）とは略平行である。前記第二刃（１１２）と異なり、刃の大部分が比較的軟質の雪と接することになるためである。
【００３９】
前記第二刃（１１２）を設ける範囲及び位置について、前記第一刃（１１１）を備える一方側の側端部（１１ａ）の反底端部側から前記シャベル匙の先端部側までの範囲であるが、前記シャベル柄（２０）の軸心を延長したシャベル柄軸心延長線（Ｘ）と前記湾曲先端部（１２）との交差位置（Ｐ）までは到達していない方が好ましい。当該交差位置（Ｐ）近傍は、雪を掘る作業の時に使用する部位であるので第二刃が存在すると不便（掘り辛い、刃こぼれをおこす、雪中に埋まっている人を掘りおこすときに危険など）だからである。
【００４０】
前記底側部（１３）には、略直角に延設された２ケ所の足掛け部（１３１）を備える。
【００４１】
前記首部（１４）は、前記腹面部（１５）の表面にリベット（１５２）で固着している。
【００４２】
前記腹面部（１５）には、２ケ所の凹み部である補強ビード（１５１）を設けて強度の向上をはかっている。
【００４３】
前記腹面部（１５）には、リュックに留めかけるために使用したり、テントを固定するために使用したりなど多用途に対応させるために、様々な形状の貫通孔（１５３）を穿設している。
【００４４】
前記２段筒状体（２１）段数及び形態について、２段階に伸縮可能な円筒形状体としているが、両手で握ることができれば良く、段数及び形態については、特定はなく随時設計変更可能である。ただし、雪山等に持参する道具であるので軽量である方が好ましい。
【００４５】
次に、スノーシャベルで雪を切りだし、掘りおこし、さらに掘りおこした雪塊（ブロック）を移動（運搬）する場合の動作について図２及び図３に従い説明する。
【００４６】
足元に存在する雪の表層を切りだす場合において、両手でシャベル柄（２０）を握り、第二刃（１１２）を雪の表層に押しあてながら前記シャベル柄（２０）を前後に摺動させることにより、雪面から約４５度の傾斜角度で前記シャベル柄（２０）が前後に摺動するとともに、雪の表層上を摺動する前記第二刃（１１２）が、雪の表層を切りだす。また、雪洞を掘る場面における雪斜面又は垂直雪壁に存在する雪の表層を切りだす場合においても同様に第二刃（１１２）を雪の表層に押しあてながら前後に摺動させ雪の表層を切りだす。
【００４７】
前記第二刃（１１２）が、硬化した（硬質の）雪の表層を切り裂くと前記第二刃は雪の下層（雪中）に侵入する（図３の状態）。
【００４８】
前記第二刃（１１２）が雪の下層に侵入したときに、前記第二刃と異なる傾斜角度がついた第一刃（１１１）の大部分が雪の下層に対して接する。したがって、同じ姿勢で継続してシャベル柄（２０）を前後に摺動させながら雪の表層及び下層の切りだしを継続することができる。
【００４９】
雪の切りだし作業に引き続き、切りだし面（切れ込み面）に前記シャベル匙の先端部（１２）を差し込み、掘り起こすことにより適当な大きさの雪塊が前記シャベル匙の腹面部（１５）の上に切り取られる。なお、必要に応じて、前記底端部（１３）に設ける足掛け部（１３１）に足を掛けて押下することもできる。
【００５０】
前記シャベル匙（１０）の腹面部（１５）の上に切り取られた雪塊（ブロック）は、シャベル操作によりそのまま移動できる。
【００５１】
次に、当該スノーシャベル専用のシャベル匙側端部カバーの構成及び装着動作について、図４に従い説明する。
【００５２】
シャベル匙側端部カバー（３０）は、前記シャベル匙（１０）と同じ材質の被覆体（３１）と、前記被覆体（３１）及び前記シャベル匙（１０）を併せて挟持する固着具（３２）とで構成する。
【００５３】
前記シャベル匙側端部カバー（３０）は、前記被覆体（３１）をシャベル匙の一方側の側端部（１１ａ）に被せ、前記第一刃（１１１）及び前記第二刃（１１２）の全てを被覆した後に、前記固着具（３２）にて前記被覆体（３１）の端部に穿設された孔部及び前記シャベル匙（１０）の底端部（１３）近傍のへこみ部を併せて挟持して固着することにより装着する。
【００５４】
次に、スノーシャベルを運搬する場合の動作について図４に従い説明する。
【００５５】
前記シャベル匙側端部カバー（３０）が装着されたシャベル匙（１０）をシャベル柄（２０）から抜き取り、抜き取ったシャベル柄（２０）の２段筒状体（２１）の突出部（２３）を押し込みながら前記２段筒状体（２１）を縮める。
【００５６】
分解及び縮められた、前記スノーシャベルをリュック等に収納し運搬する。
【産業上の利用可能性】
【００５７】
本願発明のスノーシャベルは、雪上での作業時間短縮及び体力消耗の抑制の効果があり、利便性を飛躍的に向上させるので、産業上の利用性を有する。
【符号の説明】
【００５８】
１        スノーシャベル
１０      シャベル匙
１１ａ    一方側の側端部
１１ｂ    他方側の側端部
１１１    第一刃
１１２    第二刃
１２      先端部
１３      底端部
１３１    足掛け部
１４      首部
１５      腹面部
１５１    補強ビード
１５２    リベット
１５３    貫通孔
２０      シャベル柄
２１      筒状体
２２      取っ手
２３      突出部
３０      シャベル匙側端部カバー
３１      被覆体
３２      固着具
Ｐ        シャベル柄軸心延長線と先端部との交差位置
Ｘ        シャベル柄軸心延長線
Ｘ´      第一刃接線（シャベル匙側端部接線）
Ｙ        第二刃接線
θ      シャベル柄軸心延長線と第二刃接線との傾斜角度
【図１】
2014084702.tif 000003
【図２】
2014084702.tif 000004
【図３】
2014084702.tif 000005
【図４】
2014084702.tif 000006